(57)【特許請求の範囲】
【請求項１】
昇穀機４１で揚送される穀粒を受けて移送する移送螺旋軸５を内装してコ字形状に形成する上部移送戸樋６を設け、該上部移送戸樋６の一側部には表示目盛盤１５ａを設け、該上部移送戸樋６の下端部の左右両側には横方向へ向けて所定長さの折曲部８を設け、該折曲部８の下側面には、前後方向全面部に亘って底板９を設け、該底板９の前後方向中央部近傍には所定長及び幅の供給口１０を設けると共に、供給口１０位置を前後方向へ変更する摺動移動調節可能な調節ベース１１を設け、
前記調節ベース１１の先端部近傍の中央部には回動支点ピン１８を設け、該回動支点ピン１８を支点に吐出口１６を有する案内樋１７を回動調節可能に構成すると共に、前記調節ベース１１が前後方向へ摺動移動すると前記表示目盛盤１５ａに重合させる指針部１１ａを設け、調節ベース１１の上部には表示目盛盤１５ｂを設け、前記案内樋１７には指針部１７ａを設け、この指針部１７ａを前記表示目盛盤１５ｂに重合させる構成とし、
前記吐出口１６から供給される穀粒を受けて穀粒貯留室７内へ均等に拡散供給する拡散盤２２を回転自在に該吐出口１６下部に設けたことを特徴とする穀粒乾燥機の穀粒拡散供給装置。
【発明の詳細な説明】
【０００１】
【発明の属する技術分野】
この発明は、穀粒を貯留する穀粒貯留室へ拡散盤の回転により、穀粒を均等に拡散供給するこの拡散盤へ穀粒を供給する移送螺旋軸を内装する上部移送戸樋の底板には、摺動移動調節可能に調節ベースと、この調節ベース先端部には、吐出口部を有する回動調節可能に案内樋とを設けると共に、これらの調節位置を表示する表示目盛盤を設けた穀粒拡散供給装置に関する。
【０００２】
【従来の技術】
昇穀機で揚送される穀粒は、移送螺旋軸を内装した上部移送戸樋内へ供給され、この移送螺旋軸で移送され、底板に設けた供給口から吐出口を有する案内樋へ供給され、この案内樋を流下し、該吐出口から拡散盤上へ供給され、この拡散盤の回転駆動により、穀粒を貯留する穀粒貯留室内へ拡散供給され、この穀粒は循環が繰返されて乾燥する。
【０００３】
【発明が解決しようとする課題】
上部移送戸樋の底板に設けた案内樋が固定式であり、乾燥する穀粒の水分度合い、及び藁屑、青米、粃粒の混入度合により、穀粒貯留室内へ拡散盤で均等に拡散できないことが発生していたが、案内樋を装着する調節ベースを設け、この調節ベースを摺動調節可能にしたり、該案内樋を回動調節可能とし、これらの調節を外部より調節できる構成にしようとするものである。
【０００４】
【課題を解決するための手段】
このために、この発明は、昇穀機４１で揚送される穀粒を受けて移送する移送螺旋軸５を内装してコ字形状に形成する上部移送戸樋６を設け、該上部移送戸樋６の一側部には表示目盛盤１５ａを設け、該上部移送戸樋６の下端部の左右両側には横方向へ向けて所定長さの折曲部８を設け、該折曲部８の下側面には、前後方向全面部に亘って底板９を設け、該底板９の前後方向中央部近傍には所定長及び幅の供給口１０を設けると共に、供給口１０位置を前後方向へ変更する摺動移動調節可能な調節ベース１１を設け、
前記調節ベース１１の先端部近傍の中央部には回動支点ピン１８を設け、該回動支点ピン１８を支点に吐出口１６を有する案内樋１７を回動調節可能に構成すると共に、前記調節ベース１１が前後方向へ摺動移動すると前記表示目盛盤１５ａに重合させる指針部１１ａを設け、調節ベース１１の上部には表示目盛盤１５ｂを設け、前記案内樋１７には指針部１７ａを設け、この指針部１７ａを前記表示目盛盤１５ｂに重合させる構成とし、
前記吐出口１６から供給される穀粒を受けて穀粒貯留室７内へ均等に拡散供給する拡散盤２２を回転自在に該吐出口１６下部に設けたことを特徴とする穀粒乾燥機の穀粒拡散供給装置の構成とする。
【０００５】
【発明の作用】
昇穀機４１で揚送される穀粒は、移送螺旋軸５を内装した上部移送戸樋６内へ供給され、この移送螺旋軸５で移送され、該上部移送戸樋６の底板９の供給口１０から調節ベース１１に設けた吐出口１６を有する案内樋１７へ供給され、この案内樋１７を流下し、該吐出口１６から拡散盤２２上へ供給され、この拡散盤２２の回転駆動により、穀粒を貯留する穀粒貯留室７内へ拡散供給され、この穀粒は循環が繰返されて乾燥する。
【０００６】
前記貯留室７内の穀粒の前側、又は後側のいずれか側の拡散状態が不良のときには、外部から調節ベース１１を前後側いずれか一方側へ摺動移動調節し、前後方向の拡散状態を均一にする。又、左側、又は右側のいずれか側の拡散状態が不良のときには、外部から案内樋１７を左側、又は右側のいずれか一方側へ回動移動調節し、左右方向の拡散状態を均一する。
【０００７】
これらの調節を行うときは、上部移送戸樋６の一側部に設けた表示目盛盤１５ａ、及び調節ベース１１の上部に設ける表示目盛盤１５ｂを基準として調節する。
【０００８】
【発明の効果】
昇穀機４１で揚送される穀粒を受けて移送する移送螺旋軸５を内装してコ字形状に形成する上部移送戸樋６を設け、該上部移送戸樋６の一側部には表示目盛盤１５ａを設け、該上部移送戸樋６の下端部の左右両側には横方向へ向けて所定長さの折曲部８を設け、該折曲部８の下側面には、前後方向全面部に亘って底板９を設け、該底板９の前後方向中央部近傍には所定長及び幅の供給口１０を設けると共に、供給口１０位置を前後方向へ変更する摺動移動調節可能な調節ベース１１を設け、
前記調節ベース１１の先端部近傍の中央部には回動支点ピン１８を設け、該回動支点ピン１８を支点に吐出口１６を有する案内樋１７を回動調節可能に構成すると共に、前記調節ベース１１が前後方向へ摺動移動すると前記表示目盛盤１５ａに重合させる指針部１１ａを設け、調節ベース１１の上部には表示目盛盤１５ｂを設け、前記案内樋１７には指針部１７ａを設け、この指針部１７ａを前記表示目盛盤１５ｂに重合させる構成とすることで、穀粒貯留室７内の拡散状態不良を容易に解消し、均一な拡散状態にすることができるし、又、外部よりこれら調節ベース１１、及び案内樋１７位置を表示目盛盤１５ａ，１５ｂで知ることができることにより、調節が容易にできる。
【０００９】
【実施例】
以下、本発明の一実施例を図面に基づいて説明する。図例は、穀粒を乾燥する循環型の穀粒乾燥機１に穀粒の水分を検出する水分センサ２、及び熱風が発生するバーナ３等を装着した状態を示すものである。前記乾燥機１は、前後方向に長い長方形状で機壁４上部には、移送螺旋軸５を回転自在に内装した上部移送戸樋６、及び天井板６ａを設け、この天井板６ａ下側には、穀粒を貯留する穀粒貯留室７を形成している。
【００１０】
前記上部移送戸樋６はコ字形状に形成して下端部の左右両側は、横方向へ向けて所定長さの折曲部８を設け、この折曲部８の下側面には、前後方向全面部に亘って底板９を設け、この底板９の前後方向中央部近傍には、所定長、及び幅の供給口１０を設けた構成としている。前記底板９には、供給口１０位置を前後方向へ変更する摺動移動調節可能に調節ベース１１を設け、この調節ベース１１に設けた各ボルト１２を、上部移送戸樋６の折曲部８と、底板９との一方側の２箇所に設けた長孔１３と、他方側の１箇所に設けた長孔１３とに挿入し、丁ナット１４で装着した構成である。外部よりこの丁ナット１４をゆるめ、該調節ベース１２を前後させると、該各長孔１３を介して前後方向へ摺動移動する構成としている。
【００１１】
前記調節ベース１１には、指針部１１ａを設け、この指針部１１ａは、上部移送戸樋６の一側部に設けた表示目盛盤１５ａに重合させ、この調節ベース１１の位置は、外部より標準位置に対して前方側、又は後方側への調節量を知ることができる構成としている。前記調節ベース１１の先端部近傍（移送終端部近傍）の中央部には、回動調節可能に吐出口１６を有する案内樋１７を回動支点ピン１８で回動可能に設け、この案内樋１７の一方側に設けた長孔１９と、上部移送戸樋６の折曲部８と、底板９との両者の一方側に設けた長孔２０とには、ボルト２１ａを挿入し、丁ナット２１ｂで装着した構成である。外部よりこの丁ナット２１ｂをゆるめ、該案内樋１７を左右回動させると、該各長孔１９，２０を介して左右方向へ回動移動する構成としている。
【００１２】
前記案内樋１７には、指針部１７ａ部を設け、この指針部１７ａは、上部移送上戸樋６の一側部に設けた表示目盛盤１５ｂに重合させ、この案内樋１７の位置は、外部より標準位置に対して左方側、又は右方側への調節量を知ることができる構成としている。この表示目盛盤１５ｂは、図９で示す如く調節ベース１１を大形に形成し、この調節ベース１１の上部に設けた構成とするもよい。
【００１３】
拡散盤２２は、上部移送戸樋６の前後方向中央部で、更に案内樋１７の吐出口１６下部で、受枠２２ｃで保持した拡散軸２２ａの下端部に装着している。この拡散軸２２ａの上端部のギヤー２２ｂと、移送螺旋軸５終端部のギヤー５ａとが噛合し、この拡散軸２２ａを介し、この拡散盤２２が回転駆動し、貯留室７へ穀粒を拡散供給する構成としている。
【００１４】
前記貯留室７内へ拡散供給される穀粒の配穀状態が、前部が後部より高い配穀状態のときは、調節ベース１１を前方側へ所定量摺動移動調節し、又、上記とは逆の配穀状態のときは、該調節ベース１１を後方側へ摺動移動調節し、これらの調節によって前後方向の拡散状態を均一にする。正面視左部が右部より高い配穀状態のときは、案内樋１７を左方側へ所定量回動移動調節し、又上記とは逆の配穀状態のときには、該案内樋１７を右方側へ所定量回動移動調節し、これらの調節によって左右方向の拡散状態を均一にする構成としている。
【００１５】
前記貯留室７の前側機壁４内側面には、図５の如く、例えば、１６石を処理する乾燥機１であると、最低張込量の６石位置より順次８石、１０石、１２石、１４石、及び最大張込量の１６石位置に、ＯＮ−ＯＦＦスイッチ方式の張込量センサ２３を設け、張込される穀粒の圧力で押され、これら各センサ２３がＯＮし、ＯＮした位置まで穀粒が張込されたと判定できる構成としている。
【００１６】
穀粒乾燥室２４，２４は、貯留室７下側において、左右両側の排風室２５，２５と中央の送風室２６との間に設け、これら乾燥室２４，２４下部には、穀粒を繰出し流下させる繰出バルブ２７を夫々回転自在に軸支している。集穀樋２８は、下部移送螺旋軸２９を回転自在に軸支し、各乾燥室２４，２４下側に設けて連通させている。
【００１７】
前記バーナ３は、バーナケース３０に内装して設け、このバーナケース３０は、前側機壁４正面側において、送風室２６入口側に対応すべくこの前側機壁４外側面に着脱自在に設け、又、乾燥機１、水分センサ２、及び該バーナ３等を張込、乾燥、及び排出の各作業別に始動、及び停止操作する操作装置３１は、該前側機壁４外側面に着脱自在に設けている。
【００１８】
排風機３２は、後側機壁４で、左右両側の排風室２５，２５に連通すべく設けた排風路室３３中央後部側排風胴３４に設け、又、この後側機壁４には、この排風機３２を回転駆動する排風機モータ３５を設けている。バルブモータ３６は、繰出バルブ２７，２７を減速機構を介して回転駆動させている。
【００１９】
燃料ポンプ３７は、燃料バルブを有して、バーナケース３０下板外側に設け、この燃料バルブの開閉により、この燃料ポンプ３７で燃料タンク３８内の燃料を吸入して、バーナ３へ供給させている。送風機３９は、上板外側に設け、変速用の送風機モータ４０で変速回転駆動させ、供給燃料量に見合った燃焼用空気を該バーナ３へこの送風機３９で送風させている。該バーナ３から発生する熱風と該バーナケース３０内を通過する外気風とが混合して乾燥熱風になる構成である。
【００２０】
昇穀機４１は、前側機壁４外側部に設けられ、内部にはバケットコンベア４２付ベルトを張設してなり、上端部は、上部移送戸樋６始端部との間において投出筒４３を設けて連通させて、下端部は、集穀樋２８終端部との間において供給樋４４を設けて連通させている。昇穀機モータ４５は、バケットコンベア４２付ベルト、上部移送戸樋６内の移送螺旋軸５、拡散盤２２、及び集穀樋２８内の下部移送螺旋軸２９等を回転駆動させている。
【００２１】
前記水分センサ２は、昇穀機４１の上下方向ほぼ中央部に設けている。この水分センサ２は、操作装置３１からの電気的測定信号の発信により、水分モータ４６が回転してこの水分センサ２の各部が回転駆動され、バケットコンベア４２で上部へ搬送中に落下する穀粒を受け、この穀粒を挟圧粉砕しながら、この粉砕穀粒の水分を検出させている。
【００２２】
前記操作装置３１は、箱形状でこの箱体の表面板には、各種項目を、例えば液晶形式などによって表示する表示手段４７、この表示手段４７下側には、乾燥機１の各種機能を設定する複数個の押ボタン方式でＯＮ−ＯＦＦスイッチの機能設定手段４８ａ，４８ｂ，４８ｃ，４８ｄ、及び停止操作する停止手段４９を設け、これら機能設定手段４８ａ，４８ｂ，４８ｃ，４８ｄの操作で設定する各種機能は、該表示手段４７へ表示させ、又、音声を発生する構成としている。
【００２３】
張込、乾燥、排出、及び通風の各作業開始前のこれら機能設定手段４８ａ，４８ｂ，４８ｃ，４８ｄの機能表示は、図６の如く張込、乾燥、排出、及び通風と表示手段４７へ表示させている。又、穀物種類、及び乾燥モード等を設定するときのこれら機能設定手段４８ａ，４８ｂ，４８ｃ，４８ｄの機能表示は、図７の如く穀物、モード、変更、及び戻りと該表示手段４７へ表示させている。
【００２４】
制御装置５０は、操作装置３１内に設け、籾流れセンサ５１の検出入力、各張込量センサ２３の検出入力、デジタルセンサ情報の入力、各機能設定手段４８ａ，４８ｂ，４８ｃ，４８ｄ、及び停止手段４９の操作が入力されるデジタル入力回路５２、アナログセンサ情報の入力、水分センサ２、及び熱風温センサ５３が検出する検出値が入力されるアナログ入力回路５４、Ａ−Ｄ変換回路５５、シリアルデータ受信回路５６、メモリクリア５７が入力されるデジタル入力回路５８、これら各入力回路５２，５４，５５，５６，５８からの入力を算術論理演算、及び比較演算等を行う乾燥機制御用マイコン５９、及びメモリ６０、この乾燥機制御用マイコン５９からの指令で出力回路６１を経て排風機モータ３５を始動、及び停止制御し、出力回路６２を経てバルブモータ３６、及び昇穀機モータ４５を始動、及び停止制御し、出力回路６３を経て燃料バルブ、及び燃料ポンプ３７を始動、停止、及び調節制御し、出力回路６４を経て送風機モータ４０を始動、停止、及び調節制御し、出力回路６５を経て水分モータ４６を始動、及び停止制御し、表示回路６６を経て表示手段４７へ各種項目を表示制御し、音声回路６７を経て各種音声を発生制御し、シリアルデータ送信回路６８、及び不揮発メモリ６９等よりなる構成としている。
【００２５】
前記各張込量センサ２３に不具合が発生しているか否かをチェックするときは、例えば、機能設定手段４８ｃを操作し、表示手段４７へ該張込量センサ２３チェックＯＫと表示後に、作業者が乾燥機１内へ入り、該各張込量センサ２３を手動で順次ＯＮ操作すると、不具合が発生していないときは、この各張込量センサ２３毎に、音声により順次ＯＮ状態であると発声され、この発生によりこれら張込量センサ２３は、問題なしと判定できる。又、不具合が発生しているときは、不具合が発生しているこの張込量センサ２３のみが、音声によりＯＦＦ状態であると発声され、この発生によりこの張込量センサ２３は不良であると判定できる構成としている。
【００２６】
又、上記の音声の発生と同時に、ＯＮと発声したときは、操作装置３１の表示手段４７へＯＮと表示させ、又、ＯＦＦと発声したときは、該表示手段４７へＯＦＦと表示させ、機外にいる作業者が、該操作装置３１の該表示手段４７を見ることにより、知る事のできる構成とするもよい。これにより、作業者１人であっても、各張込量センサ２３を実装状態で点検することができて便利である。又、内、外の作業者が同時に知ることもできる。
【図面の簡単な説明】
【図１】 要部の一部断面せる拡大側面図
【図２】 要部の拡大平面図
【図３】 図１のＡ−Ａ断面図
【図４】 穀粒乾燥機の一部断面せる全体側面図
【図５】 図４のＢ−Ｂ断面図
【図６】 操作装置の一部断面せる拡大正面図
【図７】 操作装置の一部断面せる作用拡大正面図
【図８】 ブロック図
【図９】 他の実施例を示す図で、上部移送戸樋部の一部断面せる拡大側面図
【符号の説明】
５ 移送螺旋軸
６ 上部移送戸樋
７ 穀粒貯留室
９ 底板
１０ 供給口
１１ 調節ベース
１５ａ 表示目盛盤
１５ｂ 表示目盛盤
１６ 吐出口
１７ 案内樋
２２ 拡散盤
４１ 昇穀機
【図１】
0003783321.tif 000002
【図２】
0003783321.tif 000003
【図３】
0003783321.tif 000004
【図４】
0003783321.tif 000005
【図５】
0003783321.tif 000006
【図６】
0003783321.tif 000007
【図７】
0003783321.tif 000008
【図８】
0003783321.tif 000009
【図９】
0003783321.tif 000010